(57)【特許請求の範囲】
【請求項１】
筐体内に熱交換器と、この熱交換器に熱交換空気を送風して熱交換させる送風機とを配置した空気調和機において、
上記筐体に設けられ、上記熱交換器に送風されて熱交換した後の熱交換空気を外部へ吐出案内する吹出し口と、
この吹出し口に取付けられ、熱交換空気の通風面積を確保したうえで、内部への物の侵入を阻止するファンガードとを具備し、
上記ファンガードは、合成樹脂材を用いて一体成形され、所定ピッチを存して同心円状に設けられた複数の円状桟および、これら円状桟と交差する方向に円状桟の中心部から最外周部に亘って同一直線上に設けられた複数の放射状桟とから構成され、
上記放射状桟は、上記円状桟相互間の１ピッチ分の欠落部が複数設けられていることを特徴とすることを特徴とする空気調和機。
【請求項２】
上記放射状桟は、上記円状桟相互間の１ピッチ置きに設けられ、周方向に隣接する上記放射状桟が互い違いに設けられることを特徴とする請求項１記載の空気調和機。
【請求項３】
所定の上記放射状桟は、上記円状桟の中心部に対向する端部が欠落形成されることを特徴とする請求項１および請求項２のいずれかに記載の空気調和機。
【請求項４】
上記円状桟の最外周部おいて隣接する放射状桟相互の間隔ｍに対して、円状桟の中心部に対向する放射状桟相互の間隔がｍ／２の位置で、一方の放射状桟の端部が欠落形成されることを特徴とする請求項３記載の空気調和機。
【請求項５】
上記放射状桟を、上記円状桟の中心部に対して傾いた状態に形成し、全体で渦巻き状となるように形成したことを特徴とする請求項１ないし請求項４のいずれかに記載の空気調和機。
【発明の詳細な説明】
【０００１】
【発明の属する技術分野】
本発明は、熱交換器に送風されて熱交換した後の熱交換空気を外部へ吐出案内する吹出し口に取付けられ、同心円状の円状桟と放射状桟とから構成されるファンガードの改良に関する。
【０００２】
【従来の技術】
被空調室に配置される室内ユニットと、屋外に配置される室外ユニットとを、冷媒配管などで連通して構成される分離形の空気調和機が多用される。
特に室外ユニットにおいては、ユニット本体である筐体内に熱交換器および室外送風機が相対向して配置される。また、筐体の背面および側面に吸込み口が設けられ、筐体前面に吹出し口が設けられる。
【０００３】
特に、吹出し口は筐体の前面側に設けられるところから、ここから筐体内に人が誤って指を入れたり、物が入り込むことが考えられる。そこで、この吹出し口には熱交換空気の通風を損なわない程度で、指や物の侵入を阻止するファンガードが取付けられている。
【０００４】
従来、室外ユニット前面は、たとえば図１３に示すように形成される。
筐体１の前面に吹出し口２が開口され、ここにファンガード３が嵌め込まれる。このファンガード３は、所定ピッチをもって同心円状に設けられる複数の円状桟４と、これら円状桟４と交差し、かつ円状桟４中心部から最外周部に亘って放射状に設けられる複数の放射状桟５から構成される。
【０００５】
上記円状桟４および放射状桟５は、たとえば合成樹脂材から成形される。また、放射状桟５は幾何学的な特性から円状桟４の中心部に近づくにしたがって相互間隔が狭くなる。当然、放射状桟５の間隔はファンガード３の最外周部で必要な強度を保持するように設計されている。
【０００６】
【発明が解決しようとする課題】
このように、従来のファンガード３は最外周部で必要とされる設計強度にもとづいて放射状桟５の間隔を設定するため、円状桟４の中心部に近づくにしたがってファンガード強度から計算される必要な間隔よりも密になる。このことにより、風の流れに対して抵抗の大きい放射状桟５が存在してしまう。
【０００７】
そして、円状桟４と放射状桟５を構成する合成樹脂材は強度的に弱いので、これら桟の強度の増大を図るため、それぞれ厚肉板状のものを採用している。その結果、実際の通風面積が狭められてしまい、通風抵抗が増大してしまうなどの不具合があった。
【０００８】
本発明は上述の課題を解決するためになされたものであり、その目的とするところは、筐体の吹出し口に取付けられるファンガードの強度増大を図る一方で、吹出し口における通風面積の拡大を図り、通風抵抗を抑制して送風性能の大幅な向上を得られる空気調和機を提供しようとするものである。
【０００９】
【課題を解決するための手段】
上記目的を満足するため請求項１の発明は、筐体内に熱交換器と、この熱交換器に熱交換空気を送風する送風機とを配置した空気調和機において、上記筐体に設けられ熱交換器に送風されて熱交換した後の熱交換空気を外部へ吐出案内する吹出し口と、この吹出し口に取付けられ熱交換空気の通風面積を確保したうえで内部への物の侵入を阻止するファンガードとを具備し、上記ファンガードは、合成樹脂材を用いて一体成形され、所定ピッチを存して同心円状に設けられた複数の円状桟および、これら円状桟と交差する方向に円状桟の中心部から最外周部に亘って同一直線上に設けられた複数の放射状桟とから構成され、放射状桟は円状桟相互間の１ピッチ分の欠落部が複数設けられていることを特徴とする。
【００１０】
請求項２として、請求項１記載の空気調和機において、放射状桟は円状桟相互間の１ピッチ置きに設けられ、周方向に隣接する放射状桟が互い違いに設けられることを特徴とする。
【００１１】
請求項３として、請求項１および請求項２のいずれかに記載の空気調和機において、所定の放射状桟は円状桟の中心部に対向する端部が欠落形成されることを特徴とする。
【００１２】
請求項４として、請求項３記載の空気調和機において、円状桟の最外周部おいて隣接する放射状桟相互の間隔ｍに対して、円状桟の中心部に対向する放射状桟相互の間隔がｍ／２の位置で、一方の放射状桟の端部が欠落形成されることを特徴とする。
【００１３】
請求項５として、請求項１ないし請求項４のいずれかに記載の空気調和機において、放射状桟を、円状桟の中心部に対して傾いた状態に形成し、全体で渦巻き状となるように形成したことを特徴とする。
【００１８】
このような課題を解決する手段を採用することにより、熱交換空気吹出し流の強さに対応するとともに、強度上不必要な放射状桟を欠落し間引くことにより、通風抵抗の減少と送風特性の大幅な向上を得られる。
【００１９】
さらに、放射状桟を互い違いに配置することにより、ファンガードとしての強度の増大を図り、通風面積の拡大による通風抵抗の低減と、送風性能の向上を図れる。
【００２０】
さらに本実施の形態を採用すれば、放射状桟の数を連続的に低減することにより、ファンガードとしての強度の増大を図り、通風面積の拡大による通風抵抗の低減と、送風性能の向上を図れる。
【００２１】
さらに本実施の形態を採用すれば、熱交換空気がファンガードを通過する際の通風抵抗の低減を得られて送風特性の向上を図り、気流の剥離を抑制して通風騒音の低減を得られる。
【００２２】
【発明の実施の形態】
以下、本発明の実施の形態を図面にもとづいて説明する。
図１は、室内ユニットと室外ユニットからなる分離形の空気調和機であって、特に室外ユニットを横断面にした平面図である。
【００２３】
図中１０はユニット本体をなす筐体であり、この筐体１０内は仕切り板１１によって熱交換室１２と機械室１３とに区画される。上記熱交換室１２には、平面Ｌ字状に形成される室外熱交換器１４が配置され、さらにこの室外熱交換器１４と対向して室外送風機１５が配置される。
【００２４】
上記機械室１３には圧縮機１６が配置されていて、上記室外熱交換器１４および、図示しない室内ユニット内に配置される室内熱交換器などと冷媒配管を介して冷凍サイクル回路を構成するように接続される。
【００２５】
上記室外送風機１５は、ファンモータ１５Ｍと、このファンモータ１５Ｍの回転軸に嵌着されるプロペラファン１５Ｆとから構成される。上記プロペラファン１５Ｆは筐体１０の前面側に対向して取付けられるところから、筐体１０の前面側が吹出し側であり、背面側が吸込み側となる。上記室外熱交換器１４は筐体１０背面側とプロペラファン１５Ｆとの間に介設されるので、プロペラファン１５Ｆの吸込み側に位置することになる。
【００２６】
一方、熱交換室１２の背面側と側面側の筐体１０に、それぞれ吸込み口１７が設けられる。すなわち、上記室外送風機１５を駆動することにより、外部空気が吸込み口１７を介して筐体１０内に吸込まれるようになっている。
【００２７】
また、熱交換室１２の前面側の筐体１０に、吹出し口１８が設けられている。上記室外送風機１５を駆動することにより、吸込み口１７から吸込まれた外部空気は室外熱交換器１４を通過して熱交換をなし、吹出し口１８から吹出されるようになっている。
【００２８】
この吹出し口１８には、後述するファンガード２０が嵌め込まれていて、指や物の侵入を確実に阻止する。勿論、吹出し口１８を通風する熱交換空気の通風抵抗とならない寸法形状に設計されている。
【００２９】
なお、上記プロペラファンは、図２（Ａ）（Ｂ）（Ｃ）に示すように、図において時計回り方向に回転駆動されたとき、中心軸Ｌａから外周部に亘ってａ，ｂ，ｃの順で吹出し流の強さが大になる。また、吹出し角度αがａ，ｂ，ｃの順で小（軸芯に平行）から大（軸芯とは角度大）であるとき、この順で吹出し流の強さが大になる特性を有している。
【００３０】
つぎに、上記ファンガード２０について詳述する。
図３（Ａ）は、筐体１０の前面側を示していて、上記吹出し口１８に第１の実施の形態のファンガード２０Ａが嵌め込まれている。このファンガード２０Ａは、合成樹脂材を用いて一体成形される複数の桟部からなる。
【００３１】
具体的には、中心部から最外周部に亘って所定ピッチを存して同心円状に設けられる複数の円状桟４と、これら円状桟４と交差し、円状桟４の中心部から最外周部に亘って放射状に設けられる複数の放射状桟５とから構成される。
【００３２】
互いに隣接する上記放射状桟５相互の間隔は、円状桟４の中心部から最外周部に亘って漸次拡大する（円状桟４の最外周部から中心部に亘って漸次縮小する）ことは勿論であるが、これら放射状桟５は、所定の部位において円状桟４の中心部に対向する端部が欠落形成されている。
【００３３】
つぎに、上記放射状桟５端部の欠落構成について詳述する。
上記円状桟４の完全円形をなす最外周部Ｐｓにおいて、隣接する放射状桟５の端部相互の間隔をｍとする。放射状桟５が円状桟４の最外周部Ｐｓを基点として中心部Ｚに向かって延出されると、隣接する放射状桟５相互の間隔がｍよりも漸次狭まっていく。
【００３４】
そして、ついには所定部位の円状桟４において、隣接する放射状桟５相互の間隔がｍ／２になる位置がある。この位置において、一方の放射状桟５の端部を欠落させ、これから先の部分を間引く。
【００３５】
他方の放射状桟５は、そのまま円状桟４の中心部に向かって延出される。すると、先に欠落されずに延出される放射状桟５と隣接することになり、互いの間隔が順次狭まる。
【００３６】
ついには、円状桟４の所定部位において隣接する放射状桟５相互の間隔がｍ／２になり、そこで一方の放射状桟５の端部を欠落して、これから先を間引く。このようにして、残った放射状桟５が円状桟４の中心部に延出されるまで上述の条件で欠落形成が繰り返される。
【００３７】
さらに、図３（Ｂ）にもとづいて具体的に説明する。円状桟４の中心部から最外周部に亘って縦横直交する基準放射状桟Ｓを設け、これら基準放射状桟Ｓ相互の中間部（すなわち４５°）の位置にある放射状桟をＡと呼ぶ。
【００３８】
この放射状桟Ａの両側に放射状桟Ｂ，Ｂがあり、さらにこの両側に放射状桟Ｃ，Ｃが配置される。円状桟４の完全円形をなす最外周部Ｐｓにおける放射状桟Ａ，Ｂ，Ｃ相互の間隔はｍである。
【００３９】
これら放射状桟Ａ，Ｂ，Ｃが円状桟４の最外周部から中心部に向かって延出されるが、円状桟４の所定のピッチ円位置Ｐａにおいて、放射状桟Ａと放射状桟Ｂとの相互間隔と、放射状桟Ｂと放射状桟Ｃとの相互間隔が、それぞれｍ／２になる。
【００４０】
この位置では、放射状桟Ａと放射状桟Ｃはそのまま残され、両側の放射状桟Ｂの端部が欠落されてこれより先が間引かれる。放射状桟Ａと放射状桟Ｃはさらに延出されるので、今度は、放射状桟Ａと放射状桟Ｃとが互いに隣接し、かつ互いの間隔が漸次狭ばまる。
【００４１】
円状桟４の所定のピッチ円位置Ｐｂにおいて、放射状桟Ａと放射状桟Ｃの相互間隔と、放射状桟Ｃと放射状桟Ｓの相互間隔が、それぞれｍ／２になる。そこで、今度は放射状桟Ｃの端部を欠落形成して、放射状桟Ａと放射状桟Ｓをさらに延出させる。
【００４２】
したがって、これより先は放射状桟Ａと基準放射状桟Ｓとが互いに隣接し、相互間隔が漸次狭まる。円状桟４の所定ピッチ円位置Ｐｃにおいて、放射状桟Ａ，Ｓ相互間隔がｍ／２になる。ここでは放射状桟Ａの端部が欠落形成され、先の中心部側には基準放射状桟Ｓのみ存在する。
【００４３】
このようにして、プロペラファン１５Ｆの吹出し流の強さに合致し、強度上不必要な放射状桟５を欠落して間引くことになり、室外送風機１５の吹出し特性に対応するファンガード形態となって、ファンガード２０Ａにおける通風抵抗の減少と、室外送風機１５の送風特性の大幅な向上を得られ、熱交換性能の向上に繋げられる。
【００４４】
図４は、上述の第１の実施の形態における変形例としてのファンガード２０Ａａを示している。ここでは、先に図３（Ａ）で説明したファンガード２０Ａを２組同時に備えていて、上下が対称となるように向けられている。
【００４５】
図示しない内部構成として、基本的には先に図１で説明したものと変わりがないが、比較的大型の空気調和機における室外ユニットとして採用されるところから、室外熱交換器は上下のファンガードそれぞれに対向して２組配置され、あるいは上下のファンガードに亘る大型の室外熱交換器が配置される。また、室外送風機は上下のファンガードそれぞれに対向して配置されるので、上述したものと同様の作用効果が得られる。
【００４６】
図５（Ａ）は、第２の実施の形態のファンガード２０Ｂを示している。
このファンガード２０Ｂにおいて、所定ピッチを存して同心円状に設けられる複数の円状桟４と、これら円状桟４と交差し、円状桟４の中心部から最外周部に亘って放射状に設けられる複数の放射状桟５とからなる構成は、先に説明したものと同一である。
【００４７】
互いに隣接する上記放射状桟５相互の間隔は、基本的には、円状桟４の中心部から最外周部に亘って漸次拡大する（円状桟４の最外周部から中心部に亘って漸次縮小する）が、ここでは後述するように備えられる。
【００４８】
すなわち、円状桟４の最外周部から中心部に向かう同一直線上にある上記放射状桟５が、円状桟４相互間に形成される同心円の１ピッチ置きに設けられる。周方向に隣接する放射状桟５は、１ピッチずれた円状桟４相互間の同心円上から円状桟４の中心部に向かって、円状桟４相互間に形成される同心円の１ピッチ置きに設けられる。このことから、上記放射状桟５は、円状桟４の隣接する同心円上に対して互い違いに設けられることになる。
【００４９】
そして、先に説明したように、円状桟４相互間の所定の同心円上において隣接する放射状桟５が所定間隔になると、一方の放射状桟５の端部を欠落させ、これから先の部分が間引かれる。
【００５０】
具体的には、図５（Ｂ）に拡大して示すように、放射状桟Ｄの両側に放射状桟Ｅ，Ｅがあり、この両側に放射状桟Ｆ，Ｆが隣接して配置されるとき、円状桟４相互間の同一の同心円Ｒａ上に放射状桟Ｄと放射状桟Ｆが配置され、その同心円上には放射状桟Ｅは位置しない。
【００５１】
上記放射状桟Ｅは、放射状桟Ｄ，Ｆが配置される円状桟４相互間の同心円Ｒａから１ピッチずれた同心円Ｒｂ上に配置される。さらに、この同心円Ｒｂから１ピッチずれた同心円Ｒａ上に放射状桟Ｄ，Ｆが配置され、これ以降、放射状桟Ｅと放射状桟Ｄ，Ｆとが円状桟４相互間の同心円ＲａとＲｂ毎に、すなわち１ピッチ置きに配置される。そのため、放射状桟Ｄ，Ｆと放射状桟Ｅとは互い違いに配置されることになる。
【００５２】
ここでも隣接する放射状桟Ｄ，Ｅ，Ｆが所定間隔（円状桟４の完全円形最外周部における間隔のほぼ半分）になった位置で、一方の放射状桟の端部が欠落される。
【００５３】
たとえば、同心円Ｒ１位置まで放射状桟Ｅが設けられ、これから先の端部が欠落される。また、同心円Ｒ２位置まで放射状桟Ｆが設けられ、これから先の端部が欠落される。そして、最内周部位置で放射状桟Ｄ，Ｄ相互が所定間隔になって、これから先の端部が欠落形成される。
【００５４】
なお、同心円Ｒ１の放射状桟Ｅ端部から１ピッチ内側の同心円Ｒ３上では放射状桟Ｄのみ配置し、放射状桟Ｆは配置しない。この放射状桟Ｆは、さらに１ピッチ内側の同心円Ｒ４から１ピッチ置きに配置される。
【００５５】
すなわち、円状桟４の最外周部から放射状桟Ｄ，Ｆと放射状桟Ｅとが互い違いに配置されるが、最初に欠落形成される放射状桟Ｅの同心円Ｒ１から中心部側においては、放射状桟Ｄと放射状桟Ｆが互い違いに配置されることとなる。
【００５６】
結果的に、円状桟４の最外周部から中心部に向かって、同心円上における放射状桟５相互の間隔が漸次狭まっていくが、最初に欠落形成される放射状桟Ｅの端部から１ピッチ内側の同心円Ｒ３上においては、放射状桟Ｄ−Ｄ相互の間隔が最外周における間隔とほぼ同一程度まで拡大する。そして、この同心円Ｒ３の１ピッチ内側の同心円Ｒ４から中心部に亘って互い違いに設けられる放射状桟Ｆと放射状桟Ｄの相互間隔が順次狭まることになる。
【００５７】
このようにして、ファンガード２０Ｂとして必要な強度を確保する放射状桟５の間隔がより広く設定できるため、風の流れに対して抵抗が大きい放射状桟５の数を低減できる。
【００５８】
したがって、プロペラファン１５Ｆの吹出し流の強さに合致し、室外送風機１５の吹出し特性に対応する形態となって、ファンガード２０Ｂにおける通風抵抗の減少と、室外送風機１５の送風特性の大幅な向上を得られ、熱交換性能の向上に繋げられる。
【００５９】
図６は、上述の第２の実施の形態における変形例としてのファンガード２０Ｂａを示している。ここでは、先に図５（Ａ）で説明したファンガード２０Ｂを２組同時に備えていて、上下が対称となるように向けられている。
【００６０】
図示しない内部構成として、基本的には先に図１で説明したものと変わりがないが、比較的大型の空気調和機における室外ユニットとして採用されるところから、室外熱交換器は上下のファンガードそれぞれに対向して２組配置され、あるいは上下のファンガードに亘る大型の室外熱交換器が配置される。また、室外送風機は上下のファンガードそれぞれに対向して配置されるので、上述したものと同様の作用効果が得られる。
【００６１】
図７は、図６で示したファンガード２０Ｂａを備えた室外ユニットと、先に図１３で説明した従来構成のファンガード３を備えた室外ユニットとにおける、室外送風機１５の送風量に対する運転騒音の変化を測定した結果である。
同一の室外送風機１５における送風量に対する運転騒音の程度は、本発明Ｇのものが従来構成Ｈのものよりも低いことが分かる。
【００６２】
図８（Ａ）は、第２の実施の形態における変形例としてのファンガード２０Ｂｂを示している。
すなわち、同心円状に形成される円状桟４に対し上述した放射状桟Ｄ，Ｅ，Ｆと同様条件で、各放射状桟５が配置される。ただし、ここでの放射状桟５の全ては、円状桟４の中心部とは所定角度傾いた状態にして配置される。
このような構成のファンガード２０Ｂｂにおいても、効果的には上述のファンガード２０Ｂと全く同様である。
【００６３】
また、全ての放射状桟５を、円状４桟の中心部とは所定角度傾いた状態に形成したが、これに限定されるものではなく、傾き方向を適宜異ならせて、たとえば全体で渦巻き状となるように形成してもよい。
【００６４】
図８（Ｂ）は、第２の実施の形態におけるさらなる変形例としてのファンガード２０Ｂｃを示している。
上記円状桟４の最外周部から中心部に向かって所定のピッチ円までは、従来と同様の等間隔の放射状桟５が設けられる。そして、上記ピッチ円位置から中心部までは、円状桟４相互間の同心円に対して互い違いに放射状桟５が設けられる。効果的には上述のファンガード２０Ｂと全く同様である。
【００６５】
図９（Ａ）は、第３の実施の形態のファンガード２０Ｃを示している。
このファンガード２０Ｃは、最外周部から中心部に亘って全て同一ピッチの同心円状に設けられる複数の円状桟４と、これら円状桟４に交差して設けられる放射状桟５とからなっている。ただし、後述するような放射状桟５の配置条件によって、放射状桟５は変形した放射状をなす。
【００６６】
すなわち、上記放射状桟５は円状桟４相互間の同心円上において互いに等間隔に配置されるが、この同心円上における放射状桟５の本数を、円状桟４の最外周部から中心部に向かう同心円の１ピッチ毎に漸次１本づつ減少させている。
【００６７】
このことにより上記放射状桟５は、円状桟４の最外周部から中心部に亘って直状に形成される直線状部５Ａと、この直線状部５Ａの両側に放物線状に形成される放物線状部５Ｂおよび、直線状部５Ａおよび放物線状部５Ｂ以外で、円状桟４相互間の同心円上に互い違いに形成される互い違い部５Ｃとから構成される。
【００６８】
図９（Ｂ）から放射状桟５の本数を具体的に説明するのに、円状桟４の中心部から外周方向に亘る方が説明し易い。
上記円状桟４の中心部から最外周部に亘って１本の放射状桟５を直状に設け、これを基準放射状桟（直線状部）５Ａとなす。円状桟４の中心部から１ピッチ外周側の円状桟４相互間の同心円Ｒ７上には、上記基準放射状桟５Ａを入れて合計７本の放射状桟５が等間隔で配置される。さらに、これよりも１ピッチ外周側の同心円Ｒ８上には、基準放射状桟５Ａを入れて合計８本の放射状桟５が等間隔で配置される。
【００６９】
さらに、これよりも１ピッチ外周側の同心円Ｒ９上には、基準放射状桟５Ａを入れて９本の放射状桟５が等間隔で配置され、これよりも１ピッチ外周側の同心円Ｒ１０上には、基準放射状桟５Ａを入れて１０本の放射状桟５が等間隔で配置される。
【００７０】
このようにして、１ピッチ外周側の円状桟４相互間の同心円上における放射状桟５の数を１本づつ増やす。図において完全円形をなす最外周側の同心円Ｒ２８上では、基準放射状桟５Ａを入れて２８本の放射状桟５が等間隔で配置される。また、同心円Ｒ２８より外側の円弧状に形成される同心円上では、同一の変化割合で放射状桟５の間隔が設定されている。
【００７１】
結果として、放射状桟５は、円状桟４の最外周部から中心部に亘って直状に形成される直線状部５Ａと、この直線状部５Ａの両側の放物線状部５Ｂおよび、それ以外の互い違い部５Ｃとが形成される。
【００７２】
したがって、プロペラファン１５Ｆの吹出し流の強さに合致し、室外送風機１５の吹出し特性に対応する形態となって、ファンガード２０Ｃにおける通風抵抗の減少と、室外送風機１５の送風特性の大幅な向上を得られ、熱交換性能の向上に繋げられる。
【００７３】
図１０は、上述の第３の実施の形態における変形例としてのファンガード２０Ｃａを示している。ここでは、先に図９（Ａ）で説明したファンガード２０Ｃを２組同時に備えていて、上下が対称となるように向けられている。
【００７４】
図示しない内部構成として、基本的には先に図１で説明したものと変わりがないが、比較的大型の空気調和機における室外ユニットとして採用されるところから、室外熱交換器は上下のファンガードそれぞれに対向して２組配置され、あるいは上下のファンガードに亘る大型の室外熱交換器が配置される。また、室外送風機は上下のファンガードそれぞれに対向して配置されるので、上述したものと同様の作用効果が得られる。
【００７５】
図１１は、第３の実施の形態におけるさらなる変形例としてのファンガード２０Ｃｂを示している。
これは、上述の設定にように直線状部５Ａを基準として、放物線状部５Ｂと互い違い部５Ｃが形成されるうちの、互い違い部５Ｃの一部のみを変形したものである。
【００７６】
具体的には、上記基準放射状桟５Ａを入れて合計７本の放射状桟５が等間隔で配置される同心円Ｒ７よりも１ピッチ外側の同心円Ｒ８上で、かつ上記互い違い部５Ｃに対応する部分は、放射状桟５相互の間隔が広げられて配置される。
【００７７】
同様に、同心円Ｒ９においても、互い違い部５Ｃに対応する部分の放射状桟５相互の間隔が広げられて配置される。図において、これら放射状桟５の間隔を広げた部分をハッチングして示す。
【００７８】
したがって、ファンガード２０Ｃｂとして必要な強度以上の数の放射状桟５が不要となり、放射状桟５の数を極限まで低減できて、ファンガード２０Ｃｂの通風抵抗の減少と、室外送風機１５の送風特性の大幅な向上を得られ、熱交換性能の向上に繋げられる。
【００７９】
以下の表１は、円状桟４の最外周部の半径をたとえばＬａとし、以下、中心部に向かって円状桟４半径をＬｂ，Ｌｃ，Ｌｄ……の順で小さくした場合における、円状桟４相互間の同心円上での放射状桟５の本数を示している。したがって、これまで図面にもとづいて説明したファンガード構成における放射状桟５の本数と、表１における放射状桟５の本数とは必ずしも対応しない。
【００８０】
【表１】
0004482224.tif 000002
【００８１】
同表における、従来例欄では、最外周部Ｌａから中心部Ｌｗに亘る全ての円状桟４相互間の同心円上に、たとえば３２本の放射状桟が必要であって、合計７３６本となる。
【００８２】
これに対して第１の実施の形態欄に記載される放射状桟５の本数は、先に図３（Ａ）で説明したように放射状桟５の端部を欠落形成した例である。最外周部Ｌａにおける放射状桟５の本数は従来例と同様、３２本が必要であるが、所定のピッチ円上で放射状桟の端部を欠落するので、中途部では半分の１６本であり、中心部近傍では半分の８本ですみ、合計５２０本でよい。
【００８３】
また、第２の実施の形態欄に記載される放射状桟５の本数は、先に図５（Ａ）で説明したように放射状桟５を互い違いに配置した構成である。円状桟４の最外周部Ｌａから中心部Ｌｗに亘る放射状桟５の本数が、たとえば２４本のグループと、１２本のグループおよび６本のグループの３種類のグループに分かれる。合計で３９０本となり、従来例構造の７３６本と比較すると、放射状桟５の数の比が０．５３ですむ。
【００８４】
第３の実施の形態欄に記載される放射状桟５の本数は、先に図９（Ａ）において説明したように最外周部Ｌａから中心部Ｌｗに亘る円状桟４相互の同心円上で放射状桟５を１本づつ減らした構成である。
【００８５】
最外周部Ｌａにおいて、従来例構造と同様、３２本必要であるけれども、１ピッチ毎に１本ずつ本数を減少することにより、最小では１０本ですむ。合計で４８３本となり、第２の実施の形態よりも多いが、第１の実施の形態よりも少なくてすみ、当然、従来例よりも大幅に少なくなる。
【００８６】
以上説明したファンガード２０の全てに亘って、円状桟４と放射状桟５を、図１２（Ａ）ないし（Ｄ）に示すように構成してもよい。
すなわち、円状桟４が所定間隔を存して平行に設けられ、これら円状桟４と直交する方向に放射状桟５が設けられるのだが、円状桟４は、その断面形状を略扁平形状となし、もしくは略翼形状となす。したがって、円状桟４相互間の通風抵抗が低減し、かつ気流の剥離にともなう騒音の増大を抑制して、送風特性の大幅な向上に繋げられる。
【００８７】
また、上記放射状桟５の断面形状は、円形もしくは略扁平状もしくは略翼状をなす。したがって、上記ファンガード２０の通風抵抗をほとんど増大することなく、この強度の増大を図り、それにともない円状桟４の断面寸法を抑制することができる。
【００８８】
【発明の効果】
以上説明したように本発明によれば、筐体の吹出し口に取付けられるファンガードの強度増大を図る一方で、吹出し口における通風面積の拡大を図り、通風抵抗を抑制して送風性能の大幅な向上を得られるなどの効果を奏する。
【図面の簡単な説明】
【図１】本発明の実施の形態を示す、空気調和機を構成する室外ユニットの概略の横断平面図。
【図２】同実施の形態を示す、室外送風機を構成するプロペラファンの形状構造と送風特性を説明する図。
【図３】第１の実施の形態の、ファンガードを備えた室外ユニットの正面図と、ファンガードを構成する円状桟と放射状桟の特徴を説明する図。
【図４】第１の実施の形態における変形例としてのファンガードを備えた室外ユニットの正面図。
【図５】第２の実施の形態の、ファンガードを備えた室外ユニットの正面図と、ファンガードを構成する円状桟と放射状桟の特徴を説明する図。
【図６】第２の実施の形態における変形例としてのファンガードを備えた室外ユニットの正面図。
【図７】第２の実施の形態でのファンガードと、従来例構造のファンガードを備えた場合の、室外送風機の送風量に対する運転騒音の特性を示す図。
【図８】第２の実施の形態における、互いに異なる変形例としてのファンガードを備えた室外ユニットの正面図。
【図９】第３の実施の形態の、ファンガードを備えた室外ユニットの正面図と、ファンガードを構成する円状桟と放射状桟の特徴を説明する図。
【図１０】第３の実施の形態における変形例としてのファンガードを備えた室外ユニットの正面図。
【図１１】第３の実施の形態における、さらなる変形例としてのファンガード一部の正面図。
【図１２】第１ないし第３の実施の形態に適用される円状桟と放射状桟の形状構造と断面形状を説明する図。
【図１３】従来の、ファンガードを備えた室外ユニットの正面図。
【符号の説明】
１０…筐体、
１４…室外熱交換器、
１５…室外送風機、
１８…吹出し口、
２０…ファンガード、
４…円状桟、
５…放射状桟。
【図１】
0004482224.tif 000003
【図２】
0004482224.tif 000004
【図３】
0004482224.tif 000005
【図４】
0004482224.tif 000006
【図５】
0004482224.tif 000007
【図６】
0004482224.tif 000008
【図７】
0004482224.tif 000009
【図８】
0004482224.tif 000010
【図９】
0004482224.tif 000011
【図１０】
0004482224.tif 000012
【図１１】
0004482224.tif 000013
【図１２】
0004482224.tif 000014
【図１３】
0004482224.tif 000015